(57)【要約】  ＵＥ１００は、コネクティッドモードにおいて、ｅＮＢ２００から受信する「Ｍｅａｓｕｒｅｍｅｎｔ  Ｃｏｎｆｉｇ」に基づいて下りリンク参照信号に対する測定及び測定報告を行う。ＵＥ１００は、ｅＮＢ２００から「Ｍｅａｓｕｒｅｍｅｎｔ  Ｃｏｎｆｉｇ」を受信していない場合、「Ｍｅａｓｕｒｅｍｅｎｔ  Ｃｏｎｆｉｇ」の送信を要求する測定設定要求をｅＮＢ２００に送信する。ＵＥ１００は、測定設定要求に応じてｅＮＢ２００から送信された「Ｍｅａｓｕｒｅｍｅｎｔ  Ｃｏｎｆｉｇ」を受信する。
2016136854.tif 000002
【特許請求の範囲】
【請求項１】
コネクティッドモードにおいて、基地局から受信する測定設定情報に基づいて下りリンク参照信号に対する測定及び測定報告を行う無線端末であって、
前記測定設定情報の送信を要求する測定設定要求を前記基地局に送信する送信部を備える無線端末。
【請求項２】
前記測定設定要求に応じて前記基地局から送信された前記測定設定情報を受信する受信部をさらに備える請求項１に記載の無線端末。
【請求項３】
前記送信部は、前記基地局から前記測定設定情報を受信していない場合において、前記測定及び前記測定報告が必要と判断された際に、前記測定設定要求を前記基地局に送信する請求項１又は２に記載の無線端末。
【請求項４】
前記無線端末の移動速度に関する値が閾値を超えたことに応じて、前記測定及び前記測定報告が必要と判断される請求項３に記載の無線端末。
【請求項５】
前記送信部は、前記基地局から前記測定設定情報を受信しておらず、かつ、下りリンク制御チャネルを間欠的に監視する拡張ＤＲＸ状態にある場合、前記移動速度に関する値が前記閾値を超えたことに応じて、前記測定設定要求を前記基地局に送信する請求項４に記載の無線端末。
【請求項６】
前記閾値は、前記基地局から受信した閾値情報に基づいて設定される請求項４又は５に記載の無線端末。
【請求項７】
前記閾値は、前記拡張ＤＲＸ状態におけるＤＲＸサイクルに基づいて設定される請求項４乃至６の何れか一項に記載の無線端末。
【請求項８】
前記閾値は、前記セルのサイズを示すセルサイズ情報及び前記測定により得られた測定値のうち少なくとも１つに基づいて設定される請求項４乃至６の何れか一項に記載の無線端末。
【請求項９】
前記送信部は、前記測定設定要求と共に、前記測定設定情報の内容を前記基地局が決定するための第１の情報を前記基地局に送信する請求項１乃至８の何れか一項に記載の無線端末。
【請求項１０】
前記第１の情報は、自無線端末が希望する前記内容、及び自無線端末の移動速度に関する値のうち少なくとも１つを含む請求項９に記載の無線端末。
【請求項１１】
前記送信部は、前記測定設定要求と共に、前記コネクティッドモードにおけるＤＲＸ設定の変更を前記基地局が判断するための第２の情報を前記基地局に送信する請求項１乃至１０の何れか一項に記載の無線端末。
【請求項１２】
前記第２の情報は、前記拡張ＤＲＸ状態の設定解除の要求、ＤＲＸサイクルの短縮の要求、自無線端末の移動速度に関する値のうち少なくとも１つを含む請求項１１に記載の無線端末。
【請求項１３】
セルを管理する基地局であって、
前記セルにおいてコネクティッドモードの無線端末から、測定設定情報の送信を要求する測定設定要求を受信する受信部と、
前記測定設定要求に応じて、前記測定設定情報を前記無線端末に送信する送信部と、を備え、
前記測定設定情報は、前記無線端末が下りリンク参照信号に対する測定及び測定報告を行うための情報である基地局。
【請求項１４】
前記測定設定要求は、前記測定及び前記測定報告が必要と判断された場合に、前記無線端末から送信される請求項１３に記載の基地局。
【請求項１５】
前記無線端末の移動速度に関する値が閾値を超えたことに応じて、前記測定及び前記測定報告が必要と判断される請求項１４に記載の基地局。
【請求項１６】
前記送信部は、前記閾値を設定するための閾値情報を送信する請求項１５に記載の基地局。
【請求項１７】
前記受信部は、前記測定設定要求と共に、前記測定設定情報の内容を自基地局が決定するための第１の情報を前記無線端末から受信する請求項１３乃至１６の何れか一項に記載の基地局。
【請求項１８】
前記第１の情報は、前記無線端末が希望する前記内容、及び前記無線端末の移動速度に関する値のうち少なくとも１つを含む請求項１７に記載の基地局。
【請求項１９】
前記受信部は、前記測定設定要求と共に、前記コネクティッドモードにおけるＤＲＸ設定の変更を自基地局が判断するための第２の情報を前記無線端末から受信する請求項１３乃至１８の何れか一項に記載の基地局。
【請求項２０】
前記第２の情報は、拡張ＤＲＸ状態の設定解除の要求、ＤＲＸサイクルの短縮の要求、前記無線端末の移動速度に関する値のうち少なくとも１つを含む請求項１９に記載の基地局。
【請求項２１】
コネクティッドモードにおいて、基地局から受信する測定設定情報に基づいて下りリンク参照信号に対する測定及び測定報告を行う無線端末に用いられるプロセッサであって、
前記測定設定情報の送信を要求する測定設定要求を前記基地局に送信する処理を実行するプロセッサ。
【発明の詳細な説明】
【技術分野】
【０００１】
本発明は、移動通信システムにおいて用いられる無線端末、基地局、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。コネクティッドモードにおいてＤＲＸ状態にある無線端末は、基地局から受信したＤＲＸ設定情報に基づいて、下りリンク制御チャネルを間欠的に監視する。下りリンク制御チャネルを監視する周期は「ＤＲＸサイクル」と称される。また、ＤＲＸサイクルごとに発生する監視期間は「オン期間（Ｏｎ  ｄｕｒａｔｉｏｎ）」と称される。【０００３】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。
【先行技術文献】
【非特許文献】
【０００４】
【非特許文献１】３ＧＰＰ寄書「ＲＰ−１４１９９４」
【発明の概要】
【０００５】
第１の特徴に係る無線端末は、コネクティッドモードにおいて、基地局から受信する測定設定情報に基づいて下りリンク参照信号に対する測定及び測定報告を行う。前記無線端末は、前記測定設定情報の送信を要求する測定設定要求を前記基地局に送信する送信部を備える。
【０００６】
第２の特徴に係る基地局は、セルを管理する。前記基地局は、前記セルにおいてコネクティッドモードの無線端末から、測定設定情報の送信を要求する測定設定要求を受信する受信部と、前記測定設定要求に応じて、前記測定設定情報を前記無線端末に送信する送信部と、を備える。前記測定設定情報は、前記無線端末が下りリンク参照信号に対する測定及び測定報告を行うための情報である。
【０００７】
第３の特徴に係るプロセッサは、コネクティッドモードにおいて、基地局から受信する測定設定情報に基づいて下りリンク参照信号に対する測定及び測定報告を行う無線端末に用いられる。前記プロセッサは、前記基地局から前記測定設定情報を受信していない場合において、前記測定設定情報の送信を要求する測定設定要求を前記基地局に送信する処理を実行する。
【図面の簡単な説明】
【０００８】
【図１】実施形態に係るＬＴＥシステムの構成図である。
【図２】実施形態に係る無線インターフェイスのプロトコルスタック図である。
【図３】実施形態に係る無線フレームの構成図である。
【図４】コネクティッドモードのＤＲＸ状態にあるＵＥの動作を示す図である。
【図５】コネクティッドモードにおけるＤＲＸパラメータの一例を示す図である。
【図６】実施形態に係るＵＥのブロック図である。
【図７】実施形態に係るｅＮＢのブロック図である。
【図８】実施形態に係る動作シーケンスを示す図である。
【図９】実施形態の変更例１に係る移動速度判定方法を示すフロー図である。
【発明を実施するための形態】
【０００９】
［実施形態の概要］
コネクティッドモードの無線端末は、基地局から受信した測定設定情報（Ｍｅａｓｕｒｅｍｅｎｔ  Ｃｏｎｆｉｇｕｒａｔｉｏｎ）に基づいて、セルごとの下りリンク参照信号に対する測定を行い、測定結果に関する測定報告を基地局に送信する。基地局は、測定報告に基づいてハンドオーバ制御等のモビリティ制御を行う。
【００１０】
一方、基地局が無線端末に拡張ＤＲＸを設定する場合、基地局は、当該無線端末をＭＴＣ端末、すなわち、移動しない無線端末とみなしていることが想定される。この場合、基地局は、無線端末に測定設定情報を送信しない可能性がある。また、その他の事情によって、無線端末が適切な測定設定情報に基づいて測定及び測定報告をできない可能性もある。
【００１１】
このため、適切なモビリティ制御を行うことができない懸念がある。
【００１２】
そこで、実施形態は、適切なモビリティ制御を実現可能とする無線端末、基地局、及びプロセッサを提供する。
【００１３】
実施形態に係る無線端末は、コネクティッドモードにおいて、基地局から受信する測定設定情報に基づいて下りリンク参照信号に対する測定及び測定報告を行う。前記無線端末は、前記基地局から前記測定設定情報を受信していない場合において、前記測定設定情報の送信を要求する測定設定要求を前記基地局に送信する送信部を備える。
【００１４】
実施形態において、前記無線端末は、前記測定設定要求に応じて前記基地局から送信された前記測定設定情報を受信する受信部をさらに備える。
【００１５】
実施形態において、前記送信部は、前記基地局から前記測定設定情報を受信していない場合において、前記測定及び前記測定報告が必要と判断された際に、前記測定設定要求を前記基地局に送信する。
【００１６】
実施形態において、前記無線端末の移動速度に関する値が閾値を超えたことに応じて、前記測定及び前記測定報告が必要と判断される。
【００１７】
実施形態において、前記送信部は、前記基地局から前記測定設定情報を受信しておらず、かつ、下りリンク制御チャネルを間欠的に監視する拡張ＤＲＸ状態にある場合、前記移動速度に関する値が前記閾値を超えたことに応じて、前記測定設定要求を前記基地局に送信する。
【００１８】
実施形態において、前記閾値は、前記基地局から受信した閾値情報に基づいて設定される。
【００１９】
実施形態において、前記閾値は、前記拡張ＤＲＸ状態におけるＤＲＸサイクルに基づいて設定される。
【００２０】
実施形態において、前記閾値は、前記セルのサイズを示すセルサイズ情報及び前記測定により得られた測定値のうち少なくとも１つに基づいて設定される。
【００２１】
実施形態において、前記送信部は、前記測定設定要求と共に、前記測定設定情報の内容を前記基地局が決定するための第１の情報を前記基地局に送信する。
【００２２】
実施形態において、前記第１の情報は、自無線端末が希望する前記内容、及び自無線端末の移動速度に関する値のうち少なくとも１つを含む。
【００２３】
実施形態において、前記送信部は、前記測定設定要求と共に、前記コネクティッドモードにおけるＤＲＸ設定の変更を前記基地局が判断するための第２の情報を前記基地局に送信する。
【００２４】
実施形態において、前記第２の情報は、前記拡張ＤＲＸ状態の設定解除の要求、ＤＲＸサイクルの短縮の要求、自無線端末の移動速度に関する値のうち少なくとも１つを含む。
【００２５】
実施形態に係る基地局は、セルを管理する。前記基地局は、前記セルにおいてコネクティッドモードの無線端末から、測定設定情報の送信を要求する測定設定要求を受信する受信部と、前記測定設定要求に応じて、前記測定設定情報を前記無線端末に送信する送信部と、を備える。前記測定設定情報は、前記無線端末が下りリンク参照信号に対する測定及び測定報告を行うための情報である。
【００２６】
実施形態において、前記測定設定要求は、前記測定及び前記測定報告が必要と判断された場合に、前記無線端末から送信される。
【００２７】
実施形態において、前記無線端末の移動速度に関する値が閾値を超えたことに応じて、前記測定及び前記測定報告が必要と判断される。
【００２８】
実施形態において、前記送信部は、前記閾値を設定するための閾値情報を送信する。
【００２９】
実施形態において、前記受信部は、前記測定設定要求と共に、前記測定設定情報の内容を自基地局が決定するための第１の情報を前記無線端末から受信する。
【００３０】
実施形態において、前記第１の情報は、前記無線端末が希望する前記内容、及び前記無線端末の移動速度に関する値のうち少なくとも１つを含む。
【００３１】
実施形態において、前記受信部は、前記測定設定要求と共に、前記コネクティッドモードにおけるＤＲＸ設定の変更を自基地局が判断するための第２の情報を前記無線端末から受信する。
【００３２】
実施形態において、前記第２の情報は、拡張ＤＲＸ状態の設定解除の要求、ＤＲＸサイクルの短縮の要求、前記無線端末の移動速度に関する値のうち少なくとも１つを含む。
【００３３】
実施形態に係るプロセッサは、コネクティッドモードにおいて、基地局から受信する測定設定情報に基づいて下りリンク参照信号に対する測定及び測定報告を行う無線端末に用いられる。前記プロセッサは、前記基地局から前記測定設定情報を受信していない場合において、前記測定設定情報の送信を要求する測定設定要求を前記基地局に送信する処理を実行する。
【００３４】
［実施形態］
（移動通信システム）
以下において、実施形態に係る移動通信システムであるＬＴＥシステムについて説明する。図１は、ＬＴＥシステムの構成を示す図である。
【００３５】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３６】
ＵＥ１００は、無線端末に相当する。ＵＥ１００は、移動型の通信装置であり、セル（サービングセル）との無線通信を行う。ＵＥ１００の構成については後述する。
【００３７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００４０】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４２】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４４】
ＰＤＣＰ層は、ヘッダ圧縮・伸張、及び暗号化・復号化を行う。
【００４５】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００４６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４７】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４８】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４９】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００５０】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００５１】
（コネクティッドモードにおけるＤＲＸ）
以下において、コネクティッドモードにおけるＤＲＸについて説明する。図４は、コネクティッドモードのＤＲＸ状態にあるＵＥ１００の動作を示す図である。図５は、コネクティッドモードにおけるＤＲＸパラメータの一例を示す図である。
【００５２】
図４に示すように、コネクティッドモードにおいてＤＲＸ状態にあるＵＥ１００は、ＰＤＣＣＨを間欠的に監視する。ＰＤＣＣＨを監視する周期は「ＤＲＸサイクル（ＤＲＸ  Ｃｙｃｌｅ）」と称される。また、ＤＲＸサイクルごとに発生する監視期間は「オン期間（Ｏｎ  ｄｕｒａｔｉｏｎ）」と称される。「Ｏｎ  ｄｕｒａｔｉｏｎ」は、「ウェイクアップ期間」と称されることもある。ＰＤＣＣＨを監視しなくてもよい期間は、「スリープ期間」（又は「Ｏｐｐｏｒｔｕｎｉｔｙ  ｆｏｒ  ＤＲＸ」）と称されることもある。
【００５３】
下りリンクデータはＰＤＳＣＨを介して伝送され、ＰＤＳＣＨのスケジューリング情報がＰＤＣＣＨに含まれている。ＵＥ１００は、「Ｏｎ  ｄｕｒａｔｉｏｎ」においてＰＤＣＣＨを介してスケジューリング情報を検出した場合、スケジューリング情報により指定されたデータを受信することができる。
【００５４】
図５に示すように、既存のＤＲＸサイクルには、ショートＤＲＸサイクル及びロングＤＲＸサイクルがある。ショートＤＲＸサイクル及びロングＤＲＸサイクルは、「Ｏｎ  ｄｕｒａｔｉｏｎ」は同じで、スリープ期間の長さが異なる。例えば、「Ｏｎ  ｄｕｒａｔｉｏｎ」は、１ｍｓから２００ｍｓまでの間で「Ｏｎ  ｄｕｒａｔｉｏｎ  ｔｉｍｅｒ」により設定が可能である。ロングＤＲＸサイクル（及びオフセット時間）は「ｌｏｎｇＤＲＸ−ＣｙｃｌｅＳｔａｒｔＯｆｆｓｅｔ」により設定され、ショートＤＲＸサイクルは「ｓｈｏｒｔＤＲＸ−Ｃｙｃｌｅ」により設定される。なお、３ＧＰＰの仕様において、ＤＲＸが設定される場合、ロングＤＲＸが必須機能であり、ショートＤＲＸはオプション機能である。よって、ロングＤＲＸサイクルが設定されても、ショートＤＲＸサイクルはＵＥ１００に設定されないことがある。
【００５５】
ＤＲＸは、下記のような複数のタイマに基づいて制御される。
【００５６】
「ｄｒｘ−ＩｎａｃｔｉｖｉｔｙＴｉｍｅｒ」  上りリンク（ＵＬ）或いは下りリンク（ＤＬ）のユーザデータのスケジューリングを示すＰＤＣＣＨを正しく復号した後の連続するサブフレーム（ＰＤＣＣＨサブフレーム）の数
「ＨＡＲＱ  ＲＴＴ  Ｔｉｍｅｒ」  ＤＬのＨＡＲＱ再送が行われるまでの最小サブフレーム数
「ｄｒｘ−ＲｅｔｒａｎｓｍｉｓｓｉｏｎＴｉｍｅｒ」  再送に使用される期間
【００５７】
ＵＥ１００は、「Ｏｎ  ｄｕｒａｔｉｏｎ」中に新規ＤＬデータを受信すると「ｄｒｘ−ＩｎａｃｔｉｖｉｔｙＴｉｍｅｒ」を起動する。同時に、「ＨＡＲＱ  ＲＴＴ  Ｔｉｍｅｒ」を起動する。ＤＬデータを正しく復号できなかった場合、「ＨＡＲＱ  ＲＴＴ  Ｔｉｍｅｒ」が満了すると同時に「ｄｒｘ−ＲｅｔｒａｎｓｍｉｓｓｉｏｎＴｉｍｅｒ」を起動する。ＵＥ１００は、ＤＬデータの再送を受け、正しく復号できた場合、「ｄｒｘ−ＲｅｔｒａｎｓｍｉｓｓｉｏｎＴｉｍｅｒ」を停止する。そして、「ｄｒｘ−ＩｎａｃｔｉｖｉｔｙＴｉｍｅｒ」が満了すると同時にスリープ期間に移る。
【００５８】
なお、「Ｏｎ  ｄｕｒａｔｉｏｎ  ｔｉｍｅｒ」、「ｄｒｘ−ＩｎａｃｔｉｖｉｔｙＴｉｍｅｒ」、「ｄｒｘ−ＲｅｔｒａｎｓｍｉｓｓｉｏｎＴｉｍｅｒ」が動作中の状態は、「Ａｃｔｉｖｅ状態」と称される。ＵＥ１００は、「Ａｃｔｉｖｅ状態」においてＰＤＣＣＨを監視する。「Ａｃｔｉｖｅ状態」ではないＤＲＸ状態は「Ｉｎａｃｔｉｖｅ状態」と称される。
【００５９】
次に、ショートＤＲＸ状態とロングＤＲＸ状態との間の状態遷移について説明する。基本的に、ＵＥ１００は、ショートＤＲＸからスタートし、「ｄｒｘＳｈｏｒｔＣｙｃｌｅＴｉｍｅｒ」により設定された期間が経過するとロングＤＲＸ状態に遷移する。
【００６０】
ＵＥ１００は、ＤＬデータを正しく復号できた時点で、「ｄｒｘＳｈｏｒｔＣｙｃｌｅＴｉｍｅｒ」を起動する。ＵＥ１００は、「ｄｒｘＳｈｏｒｔＣｙｃｌｅＴｉｍｅｒ」の動作中に新規データ受信を行った場合、当該データが正しく復号できた時点で再び「ｄｒｘＳｈｏｒｔＣｙｃｌｅＴｉｍｅｒ」を再開させる。一方、「ｄｒｘＳｈｏｒｔＣｙｃｌｅＴｉｍｅｒ」が満了するまでに新規データ受信を行わなかった場合、ショートＤＲＸからロングＤＲＸへと状態遷移する。そして、ロングＤＲＸに遷移した後に新規データを受信した場合、再びロングＤＲＸからショートＤＲＸへと状態遷移する。
【００６１】
上述したＤＲＸの各パラメータを含む設定情報（「Ｏｎ  ｄｕｒａｔｉｏｎ」、各種タイマ、ロングＤＲＸサイクル、ショートＤＲＸサイクル等）は、個別ＲＲＣメッセージ中の情報要素である「ＤＲＸ−Ｃｏｎｆｉｇ」によりＵＥ１００に設定される。
【００６２】
実施形態において、主にマシンタイプコミュニケーション（ＭＴＣ）をサポートするために、既存のＤＲＸサイクルよりも長い拡張ＤＲＸ（ｅｘｔｅｎｄｅｄ  ＤＲＸ）サイクルを新たに導入する。図５の例では、拡張ＤＲＸサイクルは、２５６０サブフレーム以上の時間長を有する。ｅＮＢ２００がＵＥ１００に拡張ＤＲＸを設定する場合、ｅＮＢ２００は、当該ＵＥ１００をＭＴＣ端末、すなわち、移動しない無線端末とみなしていることが想定される。
【００６３】
拡張ＤＲＸは、既存の「ＤＲＸ−Ｃｏｎｆｉｇ」とは異なる情報要素として規定される。すなわち、拡張ＤＲＸの設定情報である「ＤＲＸ−Ｃｏｎｆｉｇ−ｖ１３ｘｘ」は、既存のＤＲＸの設定情報である「ＤＲＸ−Ｃｏｎｆｉｇ」とは異なる。「ＤＲＸ−Ｃｏｎｆｉｇ−ｖ１３ｘｘ」は、「Ｏｎ  ｄｕｒａｔｉｏｎ」及び各種タイマ等のパラメータを「ＤＲＸ−Ｃｏｎｆｉｇ」とは別に有していてもよい。
【００６４】
（コネクティッドモードにおける測定及び測定報告）
以下において、コネクティッドモードにおける測定及び測定報告について説明する。
【００６５】
コネクティッドモードのＵＥ１００は、ｅＮＢ２００から受信した測定設定情報（Ｍｅａｓｕｒｅｍｅｎｔ  Ｃｏｎｆｉｇ）に基づいて、セルごとの下りリンク参照信号（ＣＲＳ：Ｃｅｌｌ−ｓｐｅｃｉｆｉｃ  Ｒｅｆｅｒｅｎｃｅ  Ｓｉｇｎａｌ）に対する測定を行い、測定結果に関する測定報告（Ｍｅａｓｕｒｅｍｅｎｔ  Ｒｅｐｏｒｔ）をｅＮＢ２００に送信する。測定結果とは、参照信号受信電力（ＲＳＲＰ）及び／又は参照信号受信品質（ＲＳＲＱ）等である。ｅＮＢ２００は、測定報告に基づいてハンドオーバ制御等のモビリティ制御を行う。
【００６６】
「Ｍｅａｓｕｒｅｍｅｎｔ  Ｃｏｎｆｉｇ」は、個別ＲＲＣメッセージ中の情報要素である。「Ｍｅａｓｕｒｅｍｅｎｔ  Ｃｏｎｆｉｇ」は、報告設定情報（ＲｅｐｏｒｔＣｏｎｆｉｇ）、測定対象（ＭｅａｓＯｂｊｅｃｔ）、及び測定識別子（ＭｅａｓＩｄ）を含む。「ＲｅｐｏｒｔＣｏｎｆｉｇ」は、ＵＥ１００からｅＮＢ２００に対して「Ｍｅａｓｕｒｅｍｅｎｔ  Ｒｅｐｏｒｔ」を送信する条件を設定するものである。例えば、Ｅｖｅｎｔ-Ａ３で規定される条件によれば、周辺セルに対する測定結果が、現在のサービングセルに対する測定結果よりもオフセット値以上良くなった場合に、「Ｍｅａｓｕｒｅｍｅｎｔ  Ｒｅｐｏｒｔ」が送信される。また、Ｅｖｅｎｔ-Ａ４で規定される条件によれば、周辺セルに対する測定結果が、所定閾値よりも良くなった場合に、「Ｍｅａｓｕｒｅｍｅｎｔ  Ｒｅｐｏｒｔ」が送信される。また、Ｅｖｅｎｔ-Ａ２で規定される条件によれば、現在のサービングセルに対する測定結果が、所定閾値以下になった場合に、「Ｍｅａｓｕｒｅｍｅｎｔ  Ｒｅｐｏｒｔ」が送信される。また、「Ｐｅｒｉｏｄｉｃａｌ」で規定される条件によれば、「Ｍｅａｓｕｒｅｍｅｎｔ  Ｒｅｐｏｒｔ」によって、所定の報告周期で「Ｍｅａｓｕｒｅｍｅｎｔ  Ｒｅｐｏｒｔ」が送信される。オフセット値、所定閾値、所定の報告周期、報告回数、報告条件の種類等が、「ＲｅｐｏｒｔＣｏｎｆｉｇ」により設定される。
【００６７】
「ＭｅａｓＯｂｊｅｃｔ」は、ＵＥ１００が測定対象とすべき周波数及び／又はＲＡＴ（Ｒａｄｉｏ  Ａｃｃｅｓｓ  Ｔｅｃｈｎｏｌｏｇｙ）を設定するものである。「ＭｅａｓＩｄ」は、１つの「ＲｅｐｏｒｔＣｏｎｆｉｇ」と１つの「ＭｅａｓＯｂｊｅｃｔ」とを対応付けるために用いられる。ＵＥ１００は、「ＭｅａｓＩｄ」に対応する「ＭｅａｓＯｂｊｅｃｔ」によって指定されている測定対象について測定を行い、「ＭｅａｓＩｄ」によって「ＭｅａｓＯｂｊｅｃｔ」に対応する「ＲｅｐｏｒｔＣｏｎｆｉｇ」によって指定されている条件が満たされている場合、ｅＮＢ２００に対して「Ｍｅａｓｕｒｅｍｅｎｔ  Ｒｅｐｏｒｔ」を送信する。
【００６８】
（無線端末）
以下において、実施形態に係るＵＥ１００（無線端末）について説明する。図６は、ＵＥ１００の構成を示すブロック図である。図６に示すように、ＵＥ１００は、受信部１１０、送信部１２０、及び制御部１３０を備える。
【００６９】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００７０】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００７１】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００７２】
このように構成されたＵＥ１００において、送信部１２０は、コネクティッドモードにおいてｅＮＢ２００から「Ｍｅａｓｕｒｅｍｅｎｔ  Ｃｏｎｆｉｇ」を受信していない場合、自ＵＥ１００の移動速度に関する値が閾値を超えたことに応じて、「Ｍｅａｓｕｒｅｍｅｎｔ  Ｃｏｎｆｉｇ」の送信を要求する測定設定要求をｅＮＢ２００に送信する。受信部１１０は、測定設定要求に応じてｅＮＢ２００から送信された「Ｍｅａｓｕｒｅｍｅｎｔ  Ｃｏｎｆｉｇ」を受信する。
【００７３】
ＵＥ１００がＧＰＳ受信機を有している場合、自ＵＥ１００の移動速度に関する値は、ＧＰＳ受信機を用いて得られる移動速度である。或いは、ＵＥ１００が加速度センサを有している場合、加速度センサを用いて得られる加速度又は移動速度であってもよい。或いは、自ＵＥ１００の移動速度に関する値は、単位時間当たりのセル移行回数（例えば、ハンドオーバ回数）であってもよい。
【００７４】
また、自ＵＥ１００の移動速度に関する値と比較される閾値は、事前設定された閾値である。事前設定された閾値は、ゼロ又はゼロに近い値であってもよい。或いは、閾値は、ｅＮＢ２００から指定された値であってもよい。或いは、ＤＲＸサイクルの値を閾値としてもよい。或いは、閾値は、セル（サービングセル）のサイズを示すセルサイズ情報及び測定により得られた測定値の少なくとも１つに基づいて設定されてもよい。以下において、このような閾値を「移動速度閾値」と称する。
【００７５】
（基地局）
以下において、実施形態に係るｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００７６】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００７７】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００７８】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００７９】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００８０】
このように構成されたｅＮＢ２００において、バックホール通信部２４０は、Ｓ１インターフェイス上で「Ｅｘｐｅｃｔｅｄ  ＵＥ  Ｂｅｈａｖｉｏｕｒ  ＩＥ」を受信する。「Ｅｘｐｅｃｔｅｄ  ＵＥ  Ｂｅｈａｖｉｏｕｒ  ＩＥ」は、「Ｅｘｐｅｃｔｅｄ  ＨＯ  Ｉｎｔｅｒｖａｌ」、「Ｅｘｐｅｃｔｅｄ  Ａｃｔｉｖｉｔｙ  Ｐｅｒｉｏｄ」、「Ｅｘｐｅｃｔｅｄ  Ｉｄｌｅ  Ｐｅｒｉｏｄ」、「ｓｏｕｒｃｅ  ｏｆ  ｕｅ  ａｃｔｉｖｉｔｙ  ｂｅｈａｖｉｏｕｒ  ｉｎｆｏｒｍａｔｉｏｎ」を含む。「Ｅｘｐｅｃｔｅｄ  ＨＯ  Ｉｎｔｅｒｖａｌ」は、ＵＥ１００のハンドオーバの間隔期待値である。「Ｅｘｐｅｃｔｅｄ  Ａｃｔｉｖｉｔｙ  Ｐｅｒｉｏｄ」は、ＵＥ１００のアクティブ期間期待値である。「Ｅｘｐｅｃｔｅｄ  Ｉｄｌｅ  Ｐｅｒｉｏｄ」は、ＵＥ１００のアイドル期間期待値である。「ｓｏｕｒｃｅ  ｏｆ  ｕｅ  ａｃｔｉｖｉｔｙ  ｂｅｈａｖｉｏｕｒ  ｉｎｆｏｒｍａｔｉｏｎ」は、上記期待値の計算元（加入者情報又は統計情報）の情報である。
【００８１】
制御部２３０は、「Ｅｘｐｅｃｔｅｄ  ＵＥ  Ｂｅｈａｖｉｏｕｒ  ＩＥ」に基づいて、ＵＥ１００に拡張ＤＲＸを設定するか否かを判断する。例えば、移動しないＵＥ１００については、拡張ＤＲＸを設定すると判断し、拡張ＤＲＸの設定情報を当該ＵＥ１００に送信する。また、制御部２３０は、「Ｅｘｐｅｃｔｅｄ  ＵＥ  Ｂｅｈａｖｉｏｕｒ  ＩＥ」に基づいて、ＵＥ１００に測定及び測定報告を設定するか否かを判断する。例えば、移動しないＵＥ１００については、測定及び測定報告を設定しないと判断する。これにより、移動しないと判断したＵＥ１００の消費電力が削減される。なお、通常であれば、コネクティッドモードのＵＥ１００には測定及び測定報告が設定されることに留意すべきである。
【００８２】
実施形態において、受信部２２０は、自セルにおいてコネクティッドモードのＵＥ１００から、「Ｍｅａｓｕｒｅｍｅｎｔ  Ｃｏｎｆｉｇ」の送信を要求する測定設定要求を受信する。送信部２１０は、測定設定要求に応じて、「Ｍｅａｓｕｒｅｍｅｎｔ  Ｃｏｎｆｉｇ」をＵＥ１００に送信する。測定設定要求は、ＵＥ１００の移動速度に関する値が閾値を超えたことに応じてＵＥ１００から送信される。
【００８３】
（動作シーケンス）
以下において、実施形態に係る動作シーケンスについて説明する。図８は、実施形態に係る動作シーケンスを示す図である。ＵＥ１００は、ｅＮＢ２００のセルにおいてコネクティッドモードである。
【００８４】
図８に示すように、ステップＳ１０において、ｅＮＢ２００の送信部２１０は、拡張ＤＲＸの設定情報（ここでは、「ｅＤＲＸ  Ｃｏｎｆｉｇ」と称する）をＵＥ１００に送信する。ＵＥ１００の受信部１１０は、「ｅＤＲＸ  Ｃｏｎｆｉｇ」を受信する。ＵＥ１００の制御部１３０は、「ｅＤＲＸ  Ｃｏｎｆｉｇ」を保持し、「ｅＤＲＸ  Ｃｏｎｆｉｇ」に基づく拡張ＤＲＸ状態に遷移する。
【００８５】
但し、ＵＥ１００は、「Ｍｅａｓｕｒｅｍｅｎｔ  Ｃｏｎｆｉｇ」を受信していない。よって、ＵＥ１００は、測定及び測定報告を行うことができない。
【００８６】
ステップＳ２０において、ＵＥ１００の制御部１３０は、自ＵＥ１００の移動速度に関する値が移動速度閾値を超えたか否かを判断し、自ＵＥ１００の移動速度に関する値が移動速度閾値を超えたことを検知する。
【００８７】
ステップＳ３０において、ＵＥ１００の送信部１２０は、自ＵＥ１００の移動速度に関する値が閾値を超えたことに応じて、「Ｍｅａｓｕｒｅｍｅｎｔ  Ｃｏｎｆｉｇ」の送信を要求する測定設定要求（Measurement Configuration Request）をｅＮＢ２００に送信する。ここでは、「ＵＥ  Ａｓｓｉｓｔａｎｃｅ  ｉｎｆｏｒｍａｔｉｏｎ」メッセージにより測定設定要求を送信する一例を示している。ｅＮＢ２００の受信部２２０は、測定設定要求を含む「ＵＥ  Ａｓｓｉｓｔａｎｃｅ  ｉｎｆｏｒｍａｔｉｏｎ」メッセージを受信する。
【００８８】
ステップＳ４０において、ｅＮＢ２００の送信部２１０は、測定設定要求の受信に応じて、測定設定情報である「Ｍｅａｓｕｒｅｍｅｎｔ  Ｃｏｎｆｉｇ」（Measurement Configuration）をＵＥ１００に送信する。ＵＥ１００の受信部１１０は、「Ｍｅａｓｕｒｅｍｅｎｔ  Ｃｏｎｆｉｇ」を受信する。ＵＥ１００の制御部１３０は、「Ｍｅａｓｕｒｅｍｅｎｔ  Ｃｏｎｆｉｇ」を保持し、「Ｍｅａｓｕｒｅｍｅｎｔ  Ｃｏｎｆｉｇ」に基づく測定を開始する。
【００８９】
ＵＥ１００の制御部１３０は、測定の結果、ｅＮＢ２００に対して「Ｍｅａｓｕｒｅｍｅｎｔ  Ｒｅｐｏｒｔ」を送信する条件を示す報告条件が満たされたか否かを判断する。上述したように、報告条件は、「Ｍｅａｓｕｒｅｍｅｎｔ  Ｃｏｎｆｉｇ」中の「ＲｅｐｏｒｔＣｏｎｆｉｇ」により指定される。ここでは、報告条件が満たされたと仮定して説明を進める。ＵＥ１００の送信部１２０は、「Ｍｅａｓｕｒｅｍｅｎｔ  Ｒｅｐｏｒｔ」を送信するための上りリンク無線リソースの割り当てを受けるために、スケジューリング要求（Ｓｃｈｅｄｕｌｉｎｇ  Ｒｅｑｕｅｓｔ）をｅＮＢ２００に送信する。ｅＮＢ２００の受信部２２０は、「Ｓｃｈｅｄｕｌｉｎｇ  Ｒｅｑｕｅｓｔ」を受信する。ＵＥ１００の制御部１３０は、「Ｓｃｈｅｄｕｌｉｎｇ  Ｒｅｑｕｅｓｔ」をｅＮＢ２００に送信した後、拡張ＤＲＸ状態を停止する。ＵＥ１００の制御部１３０は、拡張ＤＲＸ状態を停止するとともに、拡張ＤＲＸ状態に比べてＤＲＸサイクルが短い所定のＤＲＸ状態に遷移してもよい。所定のＤＲＸ状態とは、例えばロングＤＲＸ状態である。ｅＮＢ２００の制御部２３０は、「Ｓｃｈｅｄｕｌｉｎｇ  Ｒｅｑｕｅｓｔ」の受信に応じて、ＵＥ１００に上りリンク無線リソースを割り当てる。ｅＮＢ２００の送信部２１０は、割り当てリソースを示すスケジューリング情報（ＵＬ  Ｇｒａｎｔ）をＵＥ１００に送信する。ＵＥ１００の受信部１１０は、「ＵＬ  Ｇｒａｎｔ」を受信する。
【００９０】
ステップＳ５０において、ＵＥ１００の送信部１２０は、「Ｍｅａｓｕｒｅｍｅｎｔ  Ｒｅｐｏｒｔ」をｅＮＢ２００に送信する。ｅＮＢ２００の受信部２２０は、「Ｍｅａｓｕｒｅｍｅｎｔ  Ｒｅｐｏｒｔ」を受信する。ｅＮＢ２００の制御部２３０は、「Ｍｅａｓｕｒｅｍｅｎｔ  Ｒｅｐｏｒｔ」に基づいて、ＵＥ１００を他のセルにハンドオーバするか否かを判断する。ここでは、ＵＥ１００を他のセルにハンドオーバすると判断したと仮定して、説明を進める。ｅＮＢ２００の送信部２１０は、他のセルへのハンドオーバ指示（Ｈａｎｄｏｖｅｒ  Ｃｏｍｍａｎｄ）をＵＥ１００に送信する。ＵＥ１００の受信部１１０は、「Ｈａｎｄｏｖｅｒ  Ｃｏｍｍａｎｄ」を受信する。ＵＥ１００の制御部１３０は、「Ｈａｎｄｏｖｅｒ  Ｃｏｍｍａｎｄ」に基づいて、他のセルへのハンドオーバを行う。
【００９１】
（実施形態のまとめ）
「Ｍｅａｓｕｒｅｍｅｎｔ  Ｃｏｎｆｉｇ」を有していないコネクティッドモードのＵＥ１００は、自ＵＥ１００の移動速度に関する値が移動速度閾値を超えた場合、測定設定要求をｅＮＢ２００に送信する。ｅＮＢ２００は、測定設定要求の受信に応じて、「Ｍｅａｓｕｒｅｍｅｎｔ  Ｃｏｎｆｉｇ」をＵＥ１００に送信する。これにより、適切なモビリティ制御を実現可能とすることができる。
【００９２】
［実施形態の変更例１］
上述した動作シーケンスにおいて、移動速度閾値が事前設定される場合を想定していた。しかしながら、移動速度閾値がｅＮＢ２００から設定されてもよい。
【００９３】
本変更例において、ｅＮＢ２００の送信部２１０は、移動速度閾値を示す閾値情報をＵＥ１００に送信する。ＵＥ１００の受信部１１０は、閾値情報を受信する。ＵＥ１００の制御部１３０は、閾値情報に応じて移動速度閾値を設定する。
【００９４】
閾値情報は、システム情報の一種としてブロードキャストＲＲＣメッセージ（ＳＩＢ）により送信されてもよい。或いは、閾値情報は、個別ＲＲＣメッセージにより送信されてもよい。この場合、閾値情報は、ステップＳ１０又はステップＳ２０において送信されてもよい。
【００９５】
次に、移動速度判定方法（図８のステップＳ２０）の他の例を説明する。図９（Ａ）は、本変更例に係る移動速度判定方法１を示すフロー図である。移動速度判定方法１は、ＤＲＸサイクルに基づいて移動速度閾値を設定する方法である。
【００９６】
図９（Ａ）に示すように、ステップＳ２１Ａにおいて、ＵＥ１００の制御部１３０は、一のハンドオーバ実行から次のハンドオーバ実行までに経過した時間（平均時間）であるハンドオーバ周期（Ｈａｎｄｏｖｅｒ  ｃｙｃｌｅ）を、現在使用しているＤＲＸサイクル（すなわち、拡張ＤＲＸサイクル）と比較する。ここで、「Ｈａｎｄｏｖｅｒ  ｃｙｃｌｅ」は、ＵＥ１００の移動速度に関する値に相当する。
【００９７】
「Ｈａｎｄｏｖｅｒ  ｃｙｃｌｅ」よりもＤＲＸサイクルが大きい場合（ステップＳ２１Ａ：Ｙｅｓ）、ステップＳ２２Ａにおいて、ＵＥ１００の制御部１３０は、自ＵＥ１００の移動速度に関する値が移動速度閾値を超えたことを検知する。
【００９８】
図９（Ｂ）は、本変更例に係る移動速度判定方法２を示すフロー図である。移動速度判定方法２は、サービングのサイズを示すセルサイズ情報及び測定により得られた測定値の少なくとも１つに基づいて移動速度閾値を設定する方法である。
【００９９】
図９（Ｂ）に示すように、ステップＳ２１Ｂにおいて、ＵＥ１００の制御部１３０は、自ＵＥ１００の移動速度に、現在使用しているＤＲＸサイクル（すなわち、拡張ＤＲＸサイクル）を乗じて得た値を、移動速度閾値と比較する。このような乗算値は、１ＤＲＸサイクル当たりの移動距離に相当する。また、移動速度閾値は、サービングのサイズ又は測定値（ＲＳＲＰ／ＲＳＲＱ測定値）に基づいて設定される。セルサイズ情報は、例えばサービングセルから送信される。セルサイズ情報に所定の係数（Ｎ）を乗じて得た値を移動速度閾値としてもよい。ＲＳＲＰ／ＲＳＲＱ測定値から、セルエッジまでの距離を推定することが可能であり、セルエッジまでの距離を移動速度閾値として設定する。或いは、事前設定された値（Ｘ）を移動速度閾値として設定してもよい。
【０１００】
ステップＳ２１Ｂにおいて「Ｙｅｓ」の場合、ステップＳ２２Ｂにおいて、ＵＥ１００の制御部１３０は、自ＵＥ１００の移動速度に関する値が移動速度閾値を超えたことを検知する。
【０１０１】
このように、本変更例によれば、ＵＥ１００は、現在使用しているＤＲＸサイクルを加味して自ＵＥ１００の移動速度が高いとみなされる状況下で、測定設定要求をｅＮＢ２００に送信することができる。
【０１０２】
［実施形態の変更例２］
本変更例において、ＵＥ１００の送信部１２０は、測定設定要求と共に、「Ｍｅａｓｕｒｅｍｅｎｔ  Ｃｏｎｆｉｇ」の内容をｅＮＢ２００が決定するための第１の情報をｅＮＢ２００に送信する。測定設定要求及び第１の情報は、１つの「ＵＥ  Ａｓｓｉｓｔａｎｃｅ  ｉｎｆｏｒｍａｔｉｏｎ」メッセージに含まれてもよい。ｅＮＢ２００の受信部２２０は、測定設定要求と共に、「Ｍｅａｓｕｒｅｍｅｎｔ  Ｃｏｎｆｉｇ」の内容を自ｅＮＢ２００が決定するための第１の情報をＵＥ１００から受信する。
【０１０３】
第１の情報は、自ＵＥ１００が希望する「Ｍｅａｓｕｒｅｍｅｎｔ  Ｃｏｎｆｉｇ」の内容、及び自ＵＥ１００の移動速度に関する値のうち少なくとも１つを含む。自ＵＥ１００が希望する「Ｍｅａｓｕｒｅｍｅｎｔ  Ｃｏｎｆｉｇ」の内容とは、後述するＴＴＴ（Ｔｉｍｅ  Ｔｏ  Ｔｒｉｇｇｅｒ）であってもよい。ｅＮＢ２００は、第１の情報に基づいて「Ｍｅａｓｕｒｅｍｅｎｔ  Ｃｏｎｆｉｇ」の内容を決定し、「Ｍｅａｓｕｒｅｍｅｎｔ  Ｃｏｎｆｉｇ」をＵＥ１００に送信する。これにより、ＵＥ１００に適切な測定及び測定報告を設定することができる。
【０１０４】
［実施形態の変更例３］
本変更例において、ＵＥ１００の送信部１２０は、測定設定要求と共に、ＤＲＸ設定の変更をｅＮＢ２００が判断するための第２の情報をｅＮＢ２００に送信する。測定設定要求及び第２の情報は、１つの「ＵＥ  Ａｓｓｉｓｔａｎｃｅ  ｉｎｆｏｒｍａｔｉｏｎ」メッセージに含まれてもよい。ｅＮＢ２００の受信部２２０は、測定設定要求と共に、第２の情報をＵＥ１００から受信する。
【０１０５】
第２の情報は、拡張ＤＲＸ状態の設定解除の要求、ＤＲＸサイクルの短縮の要求、自ＵＥ１００の移動速度に関する値のうち少なくとも１つを含む。ｅＮＢ２００は、第２の情報に基づいてＤＲＸ設定の変更（例えば、拡張ＤＲＸ設定の解除及び／又はＤＲＸサイクルの短縮）を決定し、変更後のＤＲＸの設定情報をＵＥ１００に送信する。これにより、ＵＥ１００に適切なＤＲＸを設定することができる。
【０１０６】
［実施形態の変更例４］
本変更例において、ＵＥ１００は、「Ｍｅａｓｕｒｅｍｅｎｔ  Ｃｏｎｆｉｇ」を受信した際に次の動作を行う。ＵＥ１００の制御部１３０は、自ＵＥ１００の移動速度に関する値に応じて、報告条件（ＲｅｐｏｒｔＣｏｎｆｉｇ）を変更する。具体的には、報告条件を緩和し、「Ｍｅａｓｕｒｅｍｅｎｔ  Ｒｅｐｏｒｔ」の送信が迅速化されるように、報告条件（ＲｅｐｏｒｔＣｏｎｆｉｇ）を変更する。
【０１０７】
例えば、移動速度が高くなった場合、ＴＴＴ（Ｔｉｍｅ  Ｔｏ  Ｔｒｉｇｇｅｒ）を短く設定し、移動速度が遅くなった場合はＴＴＴを長く設定する。ＴＴＴとは、特定のトリガ条件（Ｅｖｅｎｔ条件）が満たされるべき持続時間である。このように制御することで、測定回数を最小限にとどめることができる。
【０１０８】
なお、トリガ条件の可変範囲（α）は、ｅＮＢ２００から設定されてもよい。例えば、「ＲｅｐｏｒｔＣｏｎｆｉｇ」で指定されたＴＴＴ±α[秒]と設定された場合、ＵＥ１００は、自身の移動速度に応じてα[秒]を可変させる。或いは、トリガ条件の上限値又は下限値をｅＮＢ２００が指定してもよい。
【０１０９】
［その他の実施形態］
上述した実施形態において、周波数内（Ｉｎｔｒａ−ｆｒｅｑｕｅｎｃｙ）測定及び周波数間（Ｉｎｔｅｒ-ｆｒｅｑｕｅｎｃｙ）について特に区別していなかった。「Ｉｎｔｒａ−ｆｒｅｑｕｅｎｃｙ」測定は、サービングセルと同一周波数における測定である。「Ｉｎｔｅｒ−ｆｒｅｑｕｅｎｃｙ」測定は、サービングセルとは異なる周波数における測定である。
【０１１０】
しかしながら、コネクティッドモードのＵＥ１００は、ｅＮＢ２００から「Ｉｎｔｒａ−ｆｒｅｑｕｅｎｃｙ」測定のための「Ｍｅａｓｕｒｅｍｅｎｔ  Ｃｏｎｆｉｇ」を受信していない場合において、「Ｉｎｔｒａ−ｆｒｅｑｕｅｎｃｙ」測定のための「Ｍｅａｓｕｒｅｍｅｎｔ  Ｃｏｎｆｉｇ」の送信を要求する測定設定要求をｅＮＢ２００に送信してもよい。
【０１１１】
或いは、コネクティッドモードのＵＥ１００は、ｅＮＢ２００から「Ｉｎｔｒａ−ｆｒｅｑｕｅｎｃｙ」測定のための「Ｍｅａｓｕｒｅｍｅｎｔ  Ｃｏｎｆｉｇ」及び「Ｉｎｔｅｒ-ｆｒｅｑｕｅｎｃｙ」測定のための「Ｍｅａｓｕｒｅｍｅｎｔ  Ｃｏｎｆｉｇ」の何れも受信していない場合において、「Ｉｎｔｒａ−ｆｒｅｑｕｅｎｃｙ」及び「Ｉｎｔｅｒ-ｆｒｅｑｕｅｎｃｙ」の両方の測定のための「Ｍｅａｓｕｒｅｍｅｎｔ  Ｃｏｎｆｉｇ」の送信を要求する測定設定要求をｅＮＢ２００に送信してもよい。
【０１１２】
上述した実施形態において、ＵＥ１００は、自ＵＥの移動状態（特に、移動速度に関する値）に応じて、モビリティ制御のための測定及び測定報告が必要と判断される場合に、測定設定要求をｅＮＢ２００に送信していた。
【０１１３】
しかしながら、モビリティ制御のための測定及び測定報告が必要か否かを判断するための判断基準として、移動速度に関する値とは異なる情報を使用してもよい。例えば、ＵＥ１００は、移動距離が閾値を超えた場合に、モビリティ制御のための測定及び測定報告が必要と判断し、測定設定要求をｅＮＢ２００に送信する。
【０１１４】
或いは、無線状態を判断基準としてもよい。例えば、ＵＥ１００は、受信電力（ＲＳＲＰ等）の変動量が所定量を超えた場合、又は、受信電力が閾値以下となった場合に、モビリティ制御のための測定及び測定報告が必要と判断し、測定設定要求をｅＮＢ２００に送信する。
【０１１５】
或いは、バッテリ残量（又は電源への接続状況）を判断基準としてもよい。例えば、ＵＥ１００は、バッテリ残量に余裕のある場合（ある一定以上のバッテリ残量がある場合や電源に接続されている場合に、測定設定要求をｅＮＢ２００に送信する。
【０１１６】
或いは、他ＲＡＴへの興味を判断基準としてもよい。例えば、ＬＴＥ及びＧＳＭ（登録商標）をサポートするＵＥ１００は、ＬＴＥ接続中に、ＧＳＭ接続に興味を持つ場合（例えば、ＧＳＭに接続している方が消費電力的に有利と判断される場合）、「Ｉｎｔｒａ−ｆｒｅｑｕｅｎｃｙ」測定（特に、他ＲＡＴの測定）のための「Ｍｅａｓｕｒｅｍｅｎｔ  Ｃｏｎｆｉｇ」の送信を要求する測定設定要求をｅＮＢ２００に送信してもよい。
【０１１７】
上述した実施形態において、ＵＥ１００は、ｅＮＢ２００から「Ｍｅａｓｕｒｅｍｅｎｔ  Ｃｏｎｆｉｇ」を受信していない場合に、測定設定要求をｅＮＢ２００に送信していた。しかしながら、ＵＥ１００は、「Ｍｅａｓｕｒｅｍｅｎｔ  Ｃｏｎｆｉｇ」を過去に受信したが削除（破棄）した場合に、測定設定要求をｅＮＢ２００に送信してもよい。或いは、ＵＥ１００は、ｅＮＢ２００から「Ｍｅａｓｕｒｅｍｅｎｔ  Ｃｏｎｆｉｇ」を受信したが、適用できない又は適用するのに不適格な情報であるため、設定（適用）していない場合に、測定設定要求をｅＮＢ２００に送信してもよい。
【０１１８】
上述した実施形態において、ＵＥ１００に拡張ＤＲＸが設定される一例を説明した。しかしながら、必ずしもＵＥ１００に拡張ＤＲＸが設定されなくてもよい。
【０１１９】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１２０】
［相互参照］
日本国特許出願第２０１５−３８１６２号（２０１５年２月２７日）の全内容が参照により本願明細書に組み込まれている。
【産業上の利用可能性】
【０１２１】
本発明は、通信分野において有用である。
【図１】
2016136854.tif 000003
【図２】
2016136854.tif 000004
【図３】
2016136854.tif 000005
【図４】
2016136854.tif 000006
【図５】
2016136854.tif 000007
【図６】
2016136854.tif 000008
【図７】
2016136854.tif 000009
【図８】
2016136854.tif 000010
【図９】
2016136854.tif 000011
【国際調査報告】
2016136854.tif 000012
2016136854.tif 000013
2016136854.tif 000014
2016136854.tif 000015